(57)【要約】【課題】フラッグを簡単に取出し使用状態にすることができ、また、使用後は簡単に収納できるようにしたグランドゴルフ用ホールポストを提供する。【解決手段】リングフレーム１４のボス１２に伸縮または折畳み自在のポール１１の上端に装着されるフラッグ支持バー１８において、ポール１１上端に、フラッグ支持バー１８を埋め込み状態にしたキャップ１９を被脱状態にするか、フラッグ支持バー１８を、ヒンジ２１を介して回動可能にするとともに控え棒２２を設けるか、フラッグ支持バー１８を、トーションスプリング２６を介して跳ね上げるようにして、使用時にはフラッグ支持バー１８が水平方向に張り出し、収納時にはポール１１と並行して収納容易にする。【選択図】図１
2007111440.tif 000002
【特許請求の範囲】
【請求項１】
中心にポール（１１）を差し込み固定するボス（１２）を配し、このボス（１２）から下向きＬ字状に折り曲げたステー（１３）を放射状に配してその端にリングフレーム（１４）を固着してフレーム（１６）とし、このフレーム（１６）のボス（１２）に固定された伸縮または折畳み自在のポール（１１）の上端に装着されるフラッグ支持バー（１８）からなるホールポスト（１０）において、使用時にはフラッグ支持バー（１８）が水平方向に張り出し、収納時にはポール（１１）と並行して収納を容易にしたことを特徴とするグランドゴルフ用ホールポスト。
【請求項２】
ポール（１１）の上端に被せるキャップ（１９）と、このキャップ（１９）の閉塞端にフラッグ支持バー（１８）を埋め込み状態にしたキャップ（１９）をポール（１１）上端に被せてフラッグ支持バー（１８）を水平方向に張り出させ、上記キャップ（１９）をポール（１１）上端から外してポール（１１）に並行させることを特徴とする請求項１に記載のグランドゴルフ用ホールポスト。
【請求項３】
ポール（１１）の上端にヒンジ（２１）を設け、このヒンジ（２１）を軸にしてフラッグ支持バー（１８）を回動可能に取付け、上記フラッグ支持バー（１８）にヒンジ（２１）を介して控え棒（２２）を連設し、この控え棒（２２）の他端をポール（１１）に対して直角に臨むように折り曲げ、折り曲げた先端に間隔を開けてワッシャー（２３）を嵌め、上記ポール（１１）に設けたヒンジ（２１）の下方に上記控え棒（２２）の端を受け止める落し込み孔（２４）を設けたことを特徴とする請求項１に記載のグランドゴルフ用ホールポスト。
【請求項４】
ポール（１１）の上端にヒンジ（２１）を設け、このヒンジ（２１）を軸にしてフラッグ支持バー（１８）を回動可能に取付け、この取付け部にフラッグ支持バー（１８）が水平方向に張り出した状態を固定するロック片（２５）を一体に設け、上記ポール（１１）上端に設けたヒンジ（２１）の軸に、フラッグ支持バー（１８）を水平方向に張り出させるトーションスプリング（２６）を配したことを特徴とする請求項１に記載のグランドゴルフ用ホールポスト。
【発明の詳細な説明】
【技術分野】
【０００１】
この発明は、グランド（パークともいう。以下同じ）ゴルフ用ホールポストに関する。
【背景技術】
【０００２】
グランドゴルフのホールポストに関する先行技術として特許文献１がある。
【０００３】
【特許文献１】特開平１１−１５１３３３号公報（請求項２および選択図面）
【０００４】
この先行技術は、フレームにホールポストを取付け・取り外し易くしたものであって、ホールポストと、その上端に取付けられるフラッグとを筒状袋から取出して速やかにセットし、ゲーム終了後は簡単に折畳み筒状袋に収納できるように検討されたものではない。
【発明の開示】
【発明が解決しようとする課題】
【０００５】
上記従来のグランドゴルフのホールポストに取付けられたフラッグを簡単に取出し使用状態にすることができ、また、使用後は簡単に収納できるようにしたグランドゴルフ用ホールポストを提供することを課題とする。
【課題を解決するための手段】
【０００６】
上記課題を解決するためにこの発明は、中心にポール１１を差し込み固定するボス１２を配し、このボス１２から下向きＬ字状に折り曲げたステー１３を放射状に配してその端にリングフレーム１４を固着してフレーム１６とし、このフレーム１６のボス１２に固定された伸縮または折畳み自在のポール１１の上端に装着されるフラッグ支持バー１８において、ポール１１上端に、フラッグ支持バー１８を埋め込み状態にしたキャップ１９を被脱状態にするか、フラッグ支持バー１８を、ヒンジ２１を介して回動可能にするとともに控え棒２２を設けるか、フラッグ支持バー１８をトーションスプリング２６を介して跳ね上げるようにして、使用時にはフラッグ支持バー１８が水平方向に張り出し、収納時にはポール１１と並行して収納容易にしたものである。
【発明の効果】
【０００７】
上記の如く構成するこの発明によれば、ポールをフレームから外して筒状袋に収納するときは、フラッグと共にフラッグ支持バーがポールに並行して簡単に収納できる。また、筒状袋から取出してプレーできる状態にするには、ポールの上端にキャップを被せるか、フラッグ支持バーを水平に張り出させて簡単に使用状態にすることができる。
【発明を実施するための最良の形態】
【０００８】
次にこの発明の実施の形態を、図面を参照しながら説明する。グランドゴルフ用のホールポスト１０は、図５に示すようにポール１１の基部１１ｂを支持するボス１２から３方向放射状に、下向きＬ字形のステー１３が溶接され、その端にリングフレーム１４が溶接され、その中間に補強のための中間リング１５が溶接されている。
【０００９】
上記ボス１２には、太さが順に異なる３本パイプＰ１，Ｐ２，Ｐ３が互いに重なり合うように嵌め合わされて伸縮自在になったポール１１がネジ機構等により取付けられ、ボス１２の下端には公知の方法により鈴Ｂが吊り下げられている。
【００１０】
ポール１１の上端には、ホールポスト１０の番号を示すフラッグ１７が取付けられているが、フラッグ１７が見えやすくするためにポール１１の上端にフラッグ支持バー１８が水平に張り出し、使用後は簡単にポール１１に並行して収納し得るようになっている。
【実施例１】
【００１１】
図１および図２は、実施例１に係り、図1はポール１１の上端にキャップ１９が被せられ、このキャップ１９の閉塞端にフラッグ支持バー１８が埋め込み状態に取付けられている。このようにキャップ１９をポール１１の上端に被せると、フラッグ支持バー１８は水平方向に張り出してフラッグ１７を見易い状態に支持する。
【００１２】
図２のようにキャップ１９をポール１１の上端から外して９０度方向を変えるとフラッグ支持バー１８はポール１１に並行して、フラッグ１７をポール１１に巻き付けることができ筒状袋２０に容易に収納できる。
【実施例２】
【００１３】
図３は実施例２に係り、ポール１１の上端に被せられたキャップ１９にヒンジ２１が設けられ、このヒンジ２１を軸にしてフラッグ支持バー１８を回動可能に取付け、このフラッグ支持バー１８に控え棒２２を回動自在に連設し、この控え棒２２の他端をポール１１に対して直角に臨むように折り曲げ、折り曲げた先端２２ｔに間隔を開けてワッシャー２３を嵌め、上記キャップ１９の下方に控え棒２２の端２２ｔを受け止める落し込み孔２４を設けたものである。なお、上記機構はキャップ１９に設けたが、ポール１１の上端に直接設けることもできる。
【００１４】
上記のような状態でポール１１の上端でフラッグ支持バー１８を水平に張り出し、フラッグ１７を仕舞うときは控え棒２２を落し込み孔２４から若干持ち上げて抜き取り、フラッグ支持バー１８をポール１１に並行させて筒状袋２０に収納できる。
【実施例３】
【００１５】
図４は実施例３に係り、ポール１１の上端に被せられたキャップ１９にヒンジ２１を設け、このヒンジ２１を軸にしてフラッグ支持バー１８を回動可能に取付け、上記フラッグ支持バー１８の回動可能に支持した端に、フラッグ支持バー１８の水平状態を固定するロック片２５を一体に設け、上記ヒンジ２１の軸にトーションスプリング２６を配してフラッグ支持バー１８を水平張り出し方向に付勢するものである。なお、キャップ１９に設けたが、ポール１１の上端に直接設けることもできる。
【００１６】
上記のような状態でポール１１の上端でフラッグ支持バー１８を水平に張り出し、フラッグ１７を仕舞うときはトーションスプリング２６の付勢に抗してフラッグ支持バー１８を折畳み、ポール１１に並行させることにより筒状袋２０に収納できる。
【産業上の利用可能性】
【００１７】
以上説明したようにこの発明によれば収納時は簡単に折り畳んで袋の中に納めることができ、使用時には袋から取り出して簡単に使用時様態にすることができる。従ってプレーヤーは準備のための時間が節約できて時間的無駄を省いて存分にプレーすることができるようになる。
【図面の簡単な説明】
【００１８】
【図１】実施例１の使用状態の部分拡大断面図
【図２】同収納状態の（ａ）フラッグを巻いた状態、（ｂ）袋に収容した状態
【図３】実施例２の部分断面図
【図４】実施例３の部分断面図
【図５】ホールポストの説明図
【符号の説明】
【００１９】
１０  ホールポスト
１１  ポール
１１ｂ  基部（ポールの）
１２  ボス
１３  ステー
１４  リングフレーム
１５  中間リング
１６  フレーム
１７  フラッグ
１８  フラッグ支持バー
１９  キャップ
２０  筒状袋
２１  ヒンジ
２２  控え棒
２３  ワッシャー
２４  落し込み孔
２５  ロック片
２６  トーションスプリング
Ｂ  鈴
【図１】
2007111440.tif 000003
【図２】
2007111440.tif 000004
【図３】
2007111440.tif 000005
【図４】
2007111440.tif 000006
【図５】
2007111440.tif 000007